(57)【特許請求の範囲】
【請求項１】
分草板(９)、穀稈引起こし装置(１０)、掻込み装置(１１)、刈刃装置(１２)及び刈取穀稈を機台(２)上の脱穀装置(５)に向けて送給する後向き搬送装置(１３)を備えた刈取部(３)を、機台(２)前部の刈取部支持部材(２９)に設けた横向き支点軸(１５)回りに上下揺動可能に支持し、該刈取部(３)に、前記横向き支点軸(１５)に内挿した刈取入力軸(５１)の刈取入力プーリ(５２)と機台(２)側の駆動側プーリ(５４)とに掛回した伝動ベルト(５５)をテンションプーリ(５６)で緊張弛緩させる構成の伝動機構によって動力伝達するように成し、この刈取部(３)及び伝動機構の横側部位の機台(２)上に運転操作部(４)を配設して、該運転操作部(４)に、シートコラム(２０ａ)に設けた運転座席(２０)と、その前側部に形成された床面(２２)と、床面(２２)の前部中央寄り位置に立設され上端に丸形回転操向ハンドル(２４)を備えるステアリングコラム(２５)と、刈取部(３)に対面する側で刈取部(３)の後向き搬送装置(１３)から前記脱穀装置(５)の扱室入り口(５ｂ)に渡る範囲に位置するサイドコラム(２１)が設けられたコンバインにおいて、前記刈取部(３)の後向き搬送装置(１３)及び刈取部への刈取伝動機構に面したサイドコラム(２１)側面の近傍をなす運転操作部(４)の外方箇所で、且つ、前記後向き搬送装置(１３)の搬送終端から前記脱穀部(５)の扱室入り口(５ｂ)近傍に渡る範囲のサイドコラム(２１)近傍箇所にアシスト部材(７２)を装設するに、該アシスト部材(７２)は、１本の管部材を屈曲して前縦向き部(７３ａ)、前後向き把握部(７３ｂ)及び後縦向き部(７３ｃ)からなる逆Ｕ字形の条部材(７３)に形成し、その前端を刈取部支持部材（２９）に、他端を前記サイドコラム(２１)の骨組み構造体(２６)に固定して設けて、このアシスト部材(７２)の前縦向き部(７３ａ)に、前記刈取部への刈取伝動機構の伝動ベルト(５５)が弛緩されたときにその伝動ベルト(５５)の過度な浮き上がりを規制して刈取入力プーリ(５２)からの外れを阻止するベルト押さえ(７８)を設けてあることを特徴とするコンバイン。
【発明の詳細な説明】
【０００１】
【発明の属する技術分野】
本発明は、運転者を支持するためのアシスト部材を備えたコンバインに関する。
【０００２】
【従来の技術】
走行部に支持させた機台の前方に刈取部、そして機台上に脱穀部を設け、刈取部と脱穀部の間に刈取穀稈を脱穀部へ向けて搬送するものとした後向き搬送装置を設け、一方、後向き搬送装置の横側の機台上に、丸形回転操向ハンドルを具備した運転操作部を設けると共にこの運転操作部の後向き搬送装置側の前後方向箇所にサイドコラムを形成したコンバインは存在している。この種のコンバインにおいて、運転操作部の運転座席に座した運転者がその身体の安定を図るために把握するように使用されるアシスト部材はサイドコラムの上面の前寄り位置に突出状に設けられ、運転座席よりもかなり前方に位置した状態となっている。
【０００３】
【発明が解決しようとする課題】
上記した従来のコンバインでは、アシスト部材は必ずしも最適位置に存在するものとなっていないのであり、特に運転操作部の操向ハンドルが丸形で回転操作される形式のものであるときは、操向ハンドルを操作する腕の肘部がアシスト部材の存在箇所近傍に位置して窮屈に感じることがあったり、或いは運転走行中に機体が揺動すると、運転座席に座した運転者は一方の手で操向ハンドルを把持し、他方の手でアシスト部材を把握して、身体の安定を図ると同時に機体の進行方向を確保するようにするが、アシスト部材が運転座席から前方へ偏しているため、身体の横揺れを十分に安定させ得ないことが生じる。本発明は、このような実状に合理的に対処し得るものとしたコンバインを提供することを目的とする。
【０００４】
【課題を解決するための手段】
上記目的を達成するため、請求項１に記載した発明では、  分草板(９)、穀稈引起こし装置(１０)、掻込み装置(１１)、刈刃装置(１２)及び刈取穀稈を機台(２)上の脱穀装置(５)に向けて送給する後向き搬送装置(１３)を備えた刈取部(３)を、機台(２)前部の刈取部支持部材(２９)に設けた横向き支点軸(１５)回りに上下揺動可能に支持し、該刈取部(３)に、前記横向き支点軸(１５)に内挿した刈取入力軸(５１)の刈取入力プーリ(５２)と機台(２)側の駆動側プーリ(５４)とに掛回した伝動ベルト(５５)をテンションプーリ(５６)で緊張弛緩させる構成の伝動機構によって動力伝達するように成し、この刈取部(３)及び伝動機構の横側部位の機台(２)上に運転操作部(４)を配設して、該運転操作部(４)に、シートコラム(２０ａ)に設けた運転座席(２０)と、その前側部に形成された床面(２２)と、床面(２２)の前部中央寄り位置に立設され上端に丸形回転操向ハンドル(２４)を備えるステアリングコラム(２５)と、刈取部(３)に対面する側で刈取部(３)の後向き搬送装置(１３)から前記脱穀装置(５)の扱室入り口(５ｂ)に渡る範囲に位置するサイドコラム(２１)が設けられたコンバインにおいて、前記刈取部(３)の後向き搬送装置(１３)及び刈取部への刈取伝動機構に面したサイドコラム(２１)側面の近傍をなす運転操作部(４)の外方箇所で、且つ、前記後向き搬送装置(１３)の搬送終端から前記脱穀部(５)の扱室入り口(５ｂ)近傍に渡る範囲のサイドコラム(２１)近傍箇所にアシスト部材(７２)を装設するに、該アシスト部材(７２)は、１本の管部材を屈曲して前縦向き部(７３ａ)、前後向き把握部(７３ｂ)及び後縦向き部(７３ｃ)からなる逆Ｕ字形の条部材(７３)に形成し、その前端を刈取部支持部材（２９）に、他端を前記サイドコラム(２１)の骨組み構造体(２６)に固定して設けて、このアシスト部材(７２)の前縦向き部(７３ａ)に、前記刈取部への刈取伝動機構の伝動ベルト(５５)が弛緩されたときにその伝動ベルト(５５)の過度な浮き上がりを規制して刈取入力プーリ(５２)からの外れを阻止するベルト押さえ(７８)を設けた構成となす。
【０００５】
これによれば、アシスト部材はサイドコラム側面の近傍でその後方寄りに位置されるようになり、運転操作部の後部に位置された運転座席に座した運転者はこのアシスト部材により身体の横揺れを十分に支持させ得るものとなる。またアシスト部材はサイドコラムの上面に固定されないため、サイドコラム上面は従来同様に各種の操作部材を配置するための領域として有効に利用され、また、運転座席に座して丸形回転操向ハンドルを操作する運転者であっても、一方の手で運転座席の真横に位置したアシスト部材を把握することにより身体の横揺れを十分に支持されるようになる。
【０００６】
また、後向き搬送装置の搬送終端から脱穀部の扱室入り口近傍に渡る範囲では刈取穀稈が後向き搬送装置から脱穀部のフィードチェーンに継送されるが、この刈取穀稈の流れの円滑性が害されるような現象が生じたとき、運転者はその刈取穀稈を手作業により整えることがあり、このような場合、運転操作部の運転者はサイドコラムから後向き搬送装置側へ身を乗り出すようにするのであり、アシスト部材はこのときの運転者の身体を安定的に支える上で寄与する。
【０００７】
また、後向き搬送装置の搬送終端から脱穀部の扱室入り口近傍に渡る範囲は空所が多い箇所となり、アシスト部材は無理なく配置される。また後向き搬送装置の搬送終端から脱穀部の扱室入り口近傍に渡る範囲に設けられる他の部材（ベルト押さえ等）の支持に寄与するものとなる。また、アシスト部材が運転座席に座した運転者から真横側に適当に離れて位置することにより、運転者の横揺れはアシスト部材の把握により効果的に阻止されるものとなり、サイドコラム上面はアシスト部材の固定に使用されず各種の操作部材を設けるための領域として活用される。
【０００８】
また、アシスト部材が逆Ｕ字形の条部材からなり、この条部材の前端を刈取部支持部材に固定させ、他端はサイドコラムの骨組み構造に固定させたことにより、アシスト部材がサイドコラムの剛性を向上させる上で寄与し、アシスト部材が刈取部への刈取伝動機構の側部に位置し、アシスト部材に設けたベルト押さえが刈取部への刈取伝動機構の伝動ベルトが弛緩されたときにその伝動ベルトの過度な浮き上がりを規制して刈取入力プーリからの外れを阻止し、ベルト押さえはアシスト部材と同体状に脱着されるようになる。
【０００９】
【発明の実施の形態】
図１〜図１３は本発明に係るコンバインに関するもので、図１は左側面図、図２は平面図、図３は正面図、図４は運転操作部の平面図、図５は刈取部と脱穀部との間を示す側面図、図６はサイドコラム周辺の平面図、図７はサイドコラム周辺の正面図、図８はサイドコラムの上面板やサイドコラム側面被覆ゴム質板等を示す図、図９は刈取部と脱穀部との間を斜め上方から見た図、図１０は伝動ベルトやベルト押さえ等を示す図、図１１は後向き搬送装置の関連部材やこれに装着される稈受け用ゴム質板を示す図、図１２はアシスト部材及びその付着部材を示す側面図、図１３はアシスト部材及びその付着部材を示す正面図である。
【００１０】
図１〜図３において、１は左右一対の走行クローラ１ａ、１ｂからなる走行部、２は走行部１に支持された機台、そして、３は機台２の前部に設けた刈取部である。機台２上には運転操作部４、脱穀部５、排藁処理部６、穀粒タンク７及び穀粒排出装置８が設けてある。
【００１１】
刈取部３は分草板９、穀稈引起こし装置１０、掻込み装置１１、刈刃装置１２及び後向き搬送装置１３を備えており、これら全体が機台２に支持された刈取主フレーム１４ａ及び刈取フレーム１４ｂを介して横向き支点軸１５回りへ上下揺動可能となされ、また分草板９、穀稈引起こし装置１０、掻込み装置１１及び刈刃装置１２は一体状に結合されている。
【００１２】
この際、穀稈引起こし装置１０は圃場に植立した各穀稈条列に対して後向き斜め上り方向へ単列条に配列されたタイン１０ａ群により穀稈を引き起こすものとなす。掻込み装置１１は刈刃装置１２で刈り取られた穀稈を刈刃装置１２の左右巾中央へ掻き集めて後向き搬送装置１３へ送り込むもので、左右一対のベルト掻込み部１１ａ、１１ａと、左右一対のスターホイール１１ｂ、１１ｂからなる。後向き搬送装置１３は刈刃装置１２で刈り取られた刈取穀稈の株元部をフィードチェーン５ａへ向けて挟持搬送する株元側挟持搬送部１３ａと、その刈取穀稈の穂先部を扱室入り口５ｂへ向けて係止搬送する穂先側係止搬送部１３ｂとを具備し、且つ、これら搬送装置１３ａ、１３ｂの搬送始端の上下位置を変更して刈取穀稈の扱室内での扱ぎ深さを調整し得るものとなされている。１６は扱胴、１７は供給ガイド、１８は排藁カッタである。
【００１３】
上記の如く形成されたコンバインは、走行部１の作動により走行し、機体の前進中に分草板９が植立穀稈の条列間を移動して隣接した条列穀稈の絡みを解し、次に穀稈引起こし装置１０が、上方へ移動されるタイン１０ａによりその対応した条列穀稈を引き起こし、次に刈刃装置１２がこのように引き起こされた穀稈の株元を切断し、次に後向き搬送部１３がこうして刈り取られた刈取穀稈を後向き斜め上方へ搬送して脱別部５に送り込み、次に脱穀部５がこの送り込まれた刈取穀稈を脱穀し、続いてこの脱穀により得られた穀粒や藁片の混合物を選別して精粒を選り出し、この選り出した精粒を穀粒タンク７へ向けて送り出し、一方では排藁処理部６が前記脱穀により生成された排藁を送り込まれてこれを寸断する等の処理を行うように作動する。そして、穀粒タンク７内に穀粒が一定量以上に溜まったときは、作業者が穀粒排出装置８を作動させるのであり、これにより穀粒排出装置８は穀粒タンク７内の穀粒を機外に搬出してコンテナ内等に落下させる。
【００１４】
次に上記運転操作部４について、図４〜図８等を参照して詳細に説明する。２０は箱形のシートコラム２０ａを介して機台２上の適当高さ位置に固定された運転座席で脱穀部５の扱室入り口５ｂの右側に位置させてある。この運転座席２０は左右一対のクローラ走行装置１ａ、１ｂの接地部の前端部の真上に配置するのであり、このように配置することにより、走行面の凹凸に対して運転座席２０が上下揺動し難くなったり上下揺動の際の衝撃を受け難くなる。２２は運転座席２０の前側に形成された床面であり、この床面２２の表面には滑り止め溝の形成されたゴムマット１９が敷かれている。
【００１５】
２１は運転操作部４の一部を形成した箱形のサイドコラムで、後向き搬送装置１３から扱室入り口５ｂに渡る範囲に位置され且つ、床面２２の左横側の前後方向部分に配設され且つ、その高さを運転座席２０の概ね座面高さ程度となされている。２３は上端に丸形回転操向ハンドル２４を固定された操向ハンドル軸でステアリングコラム２５を介して回転操作自在に立設されている。この操向ハンドル軸２３は運転者による回動操作により左右のクローラ走行装置１ａ、１ｂに回転速度差を与えて機体の進路を変化させるものである。
ステアリングコラム２５は床面２２の前部中央寄り位置でしかも運転座席２０に座した運転者の左右の脚部間にあって膝部よりも少し前側となる位置に固定されている。
【００１６】
上記サイドコラム２１は運転座席２０の横方箇所から床面２２の前部に及ぶものとなされてあって、前記床面２２と同体状に固定された枠状体からなる図５〜図７に示すサイドコラム骨組み構造体２６の上面にこれの一部をなす前側折曲板３３や後側折曲板３４を介して、レバー挿通用案内透孔ａ、ｂ、ｃ、ｄ、扱ぎ深さ自動調整スイッチｅ１、扱ぎ深さ手動調整スイッチｅ２及び箱形電子表示装置ｆ等を設けられたサイドコラム上面板２１ａを固定され、またその骨組み構造体２６の運転座席２０側となる右側面の概ね前半分箇所に前後方向側面壁をなすサイドコラム右側面カバー２１ｂを固定され、またその骨組み構造体２６の後向き搬送装置１３側となる左側面の上部前後方向部位にサイドコラム左側面上方へ延長された防塵延長板２１ｃを固定され、さらにその骨組み構造体２６の前面及び左側面を被うものとなされたサイドコラム側面被覆用ゴム質板２１ｄを垂れ下がり状に装設されたものとなされている。この際、サイドコラム側面被覆用ゴム質板２１ｄは図８に示すように、これの上縁部をサイドコラム上面板２１ａの外周側面部に固定され下部を自由状態となされる。
【００１７】
上記サイドコラム骨組み構造体２６は、前端をミッション２７の上部に取付片２８ａを介してボルト固定され且つ、後端を取付片２８ｂを介してシートコラム２０ａの図示しない骨組み構造体にボルト固定された前後向き骨組み部材２８と、上端をこの前後向き骨組み部材２８の後部に結合され且つ、下端を機台２に立設された刈取部支持部材２９にボルト固定された縦向き骨組み部材３０とを備えてなる。この際、ミッション２７は図２に示すエンジン３１の回転を変速して走行部１に伝達したり或いは走行部１の回転方向を正逆に変化させるものとした伝動機構であり、その外周囲は一体鋳造された剛性の大きな複数のケース部材で被われており、またシートコラム２０ａの図示しない骨組み構造は機台２に固定された箱枠状のものとなされている。前後向き骨組み部材２８は起立部３２ａ、前後向き傾斜部３２ｂ及び横向き部３２ｃからなる管部材３２を備え、前後向き傾斜部３２ｂの前寄り部に側面視逆Ｕ字形となされた既述の前側折曲板３３を上方への突出状に固着し、且つ前後向き傾斜部３２ｂの後寄り部に正面視四角形となされ側面視扁平状となされた既述の後側折曲板３４を上方への突出状に固着したものとなしてあり、また縦向き骨組み部材３０は縦向きの管部材３０ａで主体を形成し、この管部材３０ａの上端をボルトを介して後側折曲板３４に結合したものとなしてある。
【００１８】
上記レバー挿通用案内透孔ａ、ｂ、ｃ、ｄのそれぞれには、走行部１を駆動するためのミッション２７における油圧駆動系の作動速度を変化させるための主変速操作レバー３５、ミッション２７内の走行用伝動歯車機構の歯車の結合状態を変化させて走行部１の作動速度を変化させるための副変速操作レバー３６、刈取部３への回転動力の供給を断続させるための刈取クラッチ操作レバー３７、脱穀部５への回転動力の供給を断続させるための脱穀クラッチ操作レバー３８が挿通される。扱ぎ深さ自動調整スイッチｅ１は脱穀部５での刈取穀稈の扱ぎ深さを自動的に調整させるためのものであり、また扱ぎ深さ手動調整スイッチｅ２は後向き搬送装置１３の先端高さを手動スイッチ操作により変化させて脱穀部５での刈取穀稈の扱ぎ深さを適当に調整するためのものである。電子表示装置ｆは情報表示面ｆ１とこれを囲む箱形ケース部ｆ２からなる。
【００１９】
そして、サイドコラム右側面カバー２１ｂは次のようになされている。即ち、縦向きの主要板部ｇ１と、殆どの部分が正面視左側へ傾斜された下縁板部ｇ２とで形成されている。
主要板部ｇ１は、機体中心線方向へ向けられサイドコラム骨組み構造体２６に固定された前後向き面部ｇ０１と、この面部ｇ０１の前側へ延長され前方へ向け漸次床面２２から横方へ離れるように位置され前記サイドコラム骨組み構造体２６に固定された前向き傾斜面部ｇ０２と、この面部ｇ０２の前側へ延長され機体中心線方向前側へ向かう前後向き面部ｇ０３と、この面部ｇ０３の前側へ延長され床面２２側へ折り曲げられ先端がハンドル軸２３の横方箇所に位置されるように形成された右折れ面部ｇ０４とを備えるほか、前記前後向き面部ｇ０１の後方へ延長され床面２２から離れる側へ傾斜された状態となされた左折れ面部ｇ００とを備えてなる。また下縁板部ｇ２はこれの上縁を主要板部材ｇ１の各面の下端縁に正面視く字形に屈曲して機体右側の斜め方向へ向かうように連続されると共に、前後向きの下端縁を床面２２の前後方向左端縁２２ａに結合された状態となされている。
【００２０】
ここで、右折れ面部ｇ０４の先端の下端縁は床面２２上に密状に載置される状態となされ、また左折れ面部ｇ００はサイドコラム骨組み構造体２６の側面の折れ曲がり部ｐに固定されている。そして、下縁板部材ｇ２の後端をなす左右向き端縁ｈは運転座席２０を支持した箱形のシートコラム２０ａの前面に密状に当接されている。従って、図４において床面２２の前後方向左端縁２２ａと主要板部材ｇ１とで囲まれた範囲内に上下方向の開口は存在しない状態となっており、走行部１の跳ね水等が床面２２の前後方向左端縁２２ａと主要板部材ｇ１とで囲まれた範囲を通じて直接的に床面２２上に達することは生じないものとなっている。また前側の前後方向面部ｇ０３と床面２２の前後方向左端縁２２ａとの距離は凡そ４０ｍｍ〜１５０ｍｍ程度となされる。さらに、前向き傾斜面部ｇ０２には図示しない四角透孔が形成されると共に、この四角透孔を開放可能に被う四角形のカバー体が脱着可能に固定される。なお、３９は右折れ面部ｇ０４に固定された油差し用の受け部材である。
【００２１】
４０はフートペダル式の駐車ブレーキ操作部材で、これの揺動支点軸４１は床面２２の近傍上方箇所に位置し、下縁板部材ｇ２の透孔ｊに挿通され前記サイドコラム骨組み構造体２６に固定された図示しない軸受部材を介して揺動自在に支持されている。
【００２２】
ステアリングコラム２５の左右巾は床面２２巾の凡そ１／３程度（例えば１５０ｍｍ程度）となされ、ステアリングコラム２５と運転座席２０との間隔はここに存在した床面２２部分に運転者が立つことができ、しかも丸形回転操向ハンドル２４を運転座席２０に座した運転者が楽に回転操作できる程度の距離（例えば３００ｍｍ程度）となされている。
【００２３】
４１は床面２２の機台２部分の右側端の最前部に設けたハンドレバー式の駐車ブレーキ操作部材で、横向き支点軸４２回りへ揺動させることにより走行部１への動力供給を断ってこれの回転を規制するものである。４３は床面２２上の前端縁に上向きの突出状に設けたステップバイザで、床面２２に置いた運転者の足先を保護するものであり、４４は床面２２の前部に突出させた給油口で、床面２２の下方に配設した図示しない燃料タンクに接続されている。４５は床面２２の台部分の前端面に被着したフロントカバーであり、４６は前照灯であり、４７はステアリングコラム２１から張り出させたアーム部４８を介して支持されたサイドミラーである。
【００２４】
次に縦向き搬送装置１３の搬送終端から扱室入り口５ｂまでの構造について、図５、図９〜図１３等を参照して詳細に説明する。機台２前部には図５に示すような刈取部支持部材２９が左右一対となされて固定されており、これら刈取支持部材２９の上端部の円弧状凹み部２９ａに左右向きとなされた筒状の軸受部材４９が固定され、この軸受部材４９の中心孔に筒状の特定支点軸１５が回動自在に内挿されている。そして、この特定支点軸１５から刈取主フレーム１４ｂが前方斜め下方へ向け延出されると共に、この特定支点軸１５の左端部に後向き搬送装置１３用の図３に示す駆動ケース５０が特定支点軸１５回りの揺動可能に装着されており、この駆動ケース５０を介して後向き搬送装置１３の搬送終端部が支持されている。後向き搬送装置１３の装置フレームと刈取フレーム１４ａ上部との間にはこれらの上下方向の相対位置を変更するための図示しない後向き搬送装置用モータ駆動機構が設けてあり、このモータ駆動機構が作動されることで後向き搬送装置１３の搬送始端部の高さが変化され、これにより後向き搬送装置１３の株元挟持搬送装置１３ａが刈取穀稈を挟持する高さが変化し、扱室５ｃ内での刈取穀稈の扱ぎ深さが変化するようになされている。
【００２５】
上記特定支点軸１５の中心孔には刈取入力軸５１が回転自在に内挿されており、この刈取入力軸５１の右端でサイドコラム２１の内方の左寄り空間内に刈取入力プーリ５２が固定され、また刈取入力軸５１の左端は後向き搬送装置１３用駆動ケース５０の出力軸５３と連動連結され、この出力軸５３が後向き搬送装置１３の搬送終端に位置したこの搬送装置用の駆動スプロケットに結合されている。刈取入力プーリ５２の前方で運転座席２０の左側下方にはエンジン３１の回転を伝達される駆動側プーリ５４が特定駆動軸５４ａ回りの回転自在に装着されている。この駆動側プーリ５４と刈取入力プーリ５２との間に無端状の伝動ベルト５５を掛け回すと共に、この伝動ベルト５５を緊張弛緩させるためのテンションプーリ５６を上下動可能に装着している。この際、テンションプーリ５６は図１０に示すように揺動アーム５７に軸着され、揺動アーム５７は刈取部支持部材２９に突設された支持軸５８を介して揺動操作可能に支持される。
【００２６】
穂先側係止搬送部１３ｂの搬送終端側の上部にはこの搬送部１３ｂと同体状に上搬送カバー５９が固定してあり、このカバー５９は図１１に示すように概ね部分円錐面体となされている。また株元側挟持搬送部１３ａの搬送終端側の上部にはこの搬送部１３ａの上面を被う図１１に示すような形態の下搬送カバー６０が固定してある。後向き搬送装置用駆動ケース５０（図３参照）からはＵ形パイプ６１が延出させてあって、これの先端には株元側挟持搬送部１３ａの搬送チェーン６２との間に刈取穀稈を挟持するための挟扼杆６３が固定してあり、また長さ途中には刈取穀稈の穂先位置を検出するための穂先センサ６４が設けてある。株元側挟持搬送部１３ａと穂先側係止搬送部１３ｂとの間には穂先側係止搬送部１３ｂの本体フレームから延出させた支持片６５を介して穀稈ガイド部材６６が固設してあり、このガイド部材６６は刈取穀稈が株元側挟持搬送部１３ａと穂先側係止搬送部１３ｂとの間に入り込むのを規制するようになしてある。
【００２７】
上搬送カバー５９の後縁には横向き部５９ａと起立部５９ｂを形成し、これら横向き部５９ａと起立部５９ｂに上側稈支え用ゴム質板６７の前縁をボルト固定することにより、このゴム質板６７を後斜め下方へ張り出させている。また穂先側係止搬送部１３ｂの上側カバー６８から左斜め上方へ張り出した支持片６９を固着し、この支持片６９と、下搬送カバー６０の後縁部に下側稈支え用ゴム質板７０の前縁をボルト固定することにより、このゴム質板７０を前記ゴム質板６７の下側に位置させて後斜め下方へ張り出させている。
この際、上側稈支え用ゴム質板６７の水平部と下側稈支え用ゴム質板７０の水平部とは重なり合った状態となされ、しかもこれら水平部の間に前記サイドコラム側面被覆用ゴム質板２１ｄの後側下縁部ｍが入り込んだ状態となされる。一方、脱穀部５の扱室入り口５ｂの下縁には樋状の供給板７１が前方張り出し状に固定されており、この供給板７１に上側稈支え用ゴム質板６７の後部と下側稈支え用ゴム質板７０の後部とを支持させている。
【００２８】
また後向き搬送装置１３の搬送終端から脱穀部５の扱室入り口５ｂ近傍に渡る範囲のサイドコラム２１近傍箇所で、且つ後向き搬送装置１３側に面したサイドコラム２１側面の近傍をなす運転操作部４外方箇所で、且つ運転座席２０の真横となるサイドコラム２１近傍である箇所にはアシスト部材７２を機台２と同体状に固設してある。
【００２９】
このアシスト部材７２は、１本の管部材を屈曲して前縦向き部７３ａ、前後向き把握部７３ｂ及び後縦向き部７３ｃを形成された逆Ｕ字形の条部材７３からなり、この条部材７３の前端をこれに固着された結合片７４を介して、刈取部支持部材２９の上端部に固着された結合片７５にボルト固定させ、他端はこれに固着された結合片７６を介してサイドコラム骨組み構造２６の後側折曲板３４の側面部にボルト固定させてある。
【００３０】
このアシスト部材７２の前後向き把握部７３ｂはその高さを概ね防塵延長板２１ｃの高さに合致させてあり、また防塵延長板２１ｃの前後向き把握部７３ｂ周辺に凹み状部ｎを形成して前後向き把握部７３ｂの把握に支障のないようになしてある。
【００３１】
アシスト部材７２の前縦向き部７３ａにはゴム質板支持部材７７及びベルト押さえ７８が固着してある。ゴム質板支持部材７７は、サイドコラム上面板２１ａよりも少し低い位置で前縦向き部７３ａと後縦向き部７３ｃとの間に配置された前後向き支持部７７ａと、この支持部７７ａの長さ途中から右側の刈取部支持部材２９の上端左方位置まで左下向きに延出された縦向き傾斜支持部７７ｂと、この傾斜支持部７７ｂの下端に連続して後向きへ後縦向き部７３ｃ近傍まで延出させた後向き支持部７７ｃとからなっており、またベルト押さえ７８は前縦向き部７３ａ下端から右側へ張り出させたものとなされている。これらゴム質板支持部材７７の前後向き支持部７７ａ及びベルト押さえ７８は１本の棒部材７９を屈曲して、これの縦向き部７９ａの長さ途中をアシスト部材７２の前縦向き部７３ａの下部に固着して形成してある。この際、ゴム質板支持部材７７はサイドコラム側面被覆用ゴム質板２１ｄの下側に位置されて、サイドコラム側面被覆用ゴム質板２１ｄの後側部分やこれの上側に位置している上側稈支え用ゴム質板６７の右寄り部分を正面視傾斜状に支持し、これらの下方に存在した刈取入力プーリ５２に巻き掛けられた伝動ベルト５５やテンションプーリ５６等に上側稈支え用ゴム質板６７が干渉する事態が発生するのを確実に阻止するものとなす。ベルト押さえ７８は刈取入力プーリ５２の真上より少し後側に位置させ、テンションプーリ５６が下側へ移動されて伝動ベルト５５が緊張したときにこの伝動ベルト５５が降下して離れた状態となり、一方、テンションプーリ５６が上側へ移動されて伝動ベルト５５が弛緩したときに伝動ベルト５５の過度な浮き上がりを規制してこのベルト５５が刈取入力プーリ５２から外れないようになされる。
【００３２】
次に上記実施例に係るコンバインの使用例を説明する。刈取作業中、作業者は運転座席２０に座し、丸形回転操向ハンドル２４の左右箇所を両手で把握する等して運転する。この運転中、機体が大きく横揺れすると、運転者は右手で丸形回転操向ハンドル２４をしっかりと把握してその不用意な回転を阻止し、また左手でアシスト部材７２の前後向き把握部７３ｂをしっかりと把握して身体の横揺れを規制する。
【００３３】
この際、アシスト部材７２が運転座席２０の真横にあることが、運転者の身体の横揺れを効果的に規制する。またアシスト部材７２がサイドコラム２１の近傍で運転操作部４外方に存在することは運転座席２０に座した運転者がアシスト部材７２を把握したときにその腕が適当に横方へ延びた状態となるように身体と関連して、運転者の身体の横揺れをさらに効果的に規制する。特に、丸形回転操向ハンドル２４は縦向きの操向ハンドル軸２３回りへ自在に回転するため、このハンドル２４を把握した右手は身体の横揺れを規制する上で余り有効に作用しないのであり、従ってアシスト部材７２を把握した左手により身体の横揺れがしっかりと規制されることは丸形回転操向ハンドル２４を備えたコンバインにとって極めて重要である。
【００３４】
また刈取作業中には刈取穀稈は後向き搬送装置１３の株元側挟持搬送部１３ａの搬送チェーン６２と挟扼杆６３とでその株元部を挟持搬送され、穂先側係止搬送部１３ｂのタインｔで穂先部を係止搬送される。この搬送中、穂先がセンサ６４で検出され、この検出信号に応じて後向き搬送装置１３用モータ駆動機構が適宜に作動し、後向き搬送装置１３は特定支点軸１５回りに揺動変位され、後向き搬送装置１３の搬送始端部の高さが上下に変位される。これにより、株元側挟持搬送部１３ａによる刈取穀稈の挟持位置が上下に適当に変位されて、刈取穀稈の後向き搬送装置１３に対する位置が変化し、この変化が保持されたまま刈取穀稈がフィードチェーン５ａと供給ガイド１７との間に受け継がれるため、扱室５ｃでのその扱ぎ深さが変化するものとなる。なお、扱ぎ深さ手動調整スイッチｅ２を操作しても、後向き搬送装置１３用モータ駆動機構が作動し、扱室５ｃでの刈取穀稈の扱ぎ深さが変化する
【００３５】
このような後向き搬送装置１３から扱室入り口５ｂまでの刈取穀稈の搬送は植立穀稈の密度の違いや機体走行速度等で刈取穀稈の流れが粗密に変化し時折不安定となるが、このような場合は運転座席２０の作業者がサイドコラム２１から後向き搬送装置１３側へ身体を乗り出して刈取穀稈の流れを手作業により整えることが必要となる。このとき、作業者はアシスト部材７２を持って身体を安定的に保持して行うようにする。この際、運転座席２０の真横に存在するアシスト部材７２は作業者の身体の安定を図る上で有効に作用するのである。
【００３６】
また後向き搬送装置１３から扱室入り口５ｂへ向けて搬送される刈取穀稈は上側稈支え用ゴム質板６７、サイドコラム側面被覆用ゴム質板２１ｄ及び下側稈支え用ゴム質板７０を押し下げるように作用するが、ゴム質板支持部材７７がこれを確実に阻止するものとなる。
【００３７】
さらに上記実施例において、アシスト部材７２を後向き搬送装置１３側に面したサイドコラム２１側面の近傍をなす運転操作部４外方箇所に設けたことは、サイドコラム２１上面の空領域を狭めることなくアシスト部材７２を運転座席２０の真横に位置させることを可能となすのであり、これにより、サイドコラム２１の上面箇所で且つ、運転座席２０に座した作業者が操作し易い場所に、多くの操作部材が配置されるものとなる。
【００３８】
【発明の効果】
上述した本発明によれば、次のような効果が得られる。即ち、アシスト部材をサイドコラム側面の近傍で後向き搬送装置側の後方寄りに位置させることができ、運転操作部の後部に位置された運転座席に座した状態の運転者がこのアシスト部材を把握することによりその身体の横揺れを十分に阻止することができるようになり、サイドコラムの上面にアシスト部材を固定しないで済むため、サイドコラム上面は従来同様に各種の操作部材を配置することができ操縦性を良好に維持することができる。また、運転座席に座して丸形回転操向ハンドルを操作する運転者であっても、一方の手で運転座席の真横に位置したアシスト部材を把握することにより身体の横揺れを効果的且つ十分に阻止することができる。
【００３９】
また、後向き搬送装置の搬送終端から脱穀部の扱室入り口近傍に渡る範囲では刈取穀稈が後向き搬送装置から脱穀部のフィードチェーンに継送されるが、この刈取穀稈の流れの円滑性が害されるような現象が生じたとき、運転者はその刈取穀稈を手作業により整えることがあり、このような場合、運転操作部の運転者はアシスト部材を把握することによりサイドコラムから後向き搬送装置側へ安定的に身を乗り出すことができる。
【００４０】
また、後向き搬送装置の搬送終端から脱穀部の扱室入り口近傍に渡る範囲の空所が多くなるため、アシスト部材を無理なく配置できるのであり、また後向き搬送装置の搬送終端から脱穀部の扱室入り口近傍に渡る範囲に設けられる他の部材（ベルト押さえ等）の支持に直接に関与させることができる。
【００４１】
また、アシスト部材が逆Ｕ字形の条部材からなり、この条部材の前端を刈取部支持部材に固定させ、他端はサイドコラムの骨組み構造に固定させたことにより、アシスト部材がサイドコラムの剛性を向上させる上で寄与し、アシスト部材が刈取部への刈取伝動機構の側部に位置し、アシスト部材に設けたベルト押さえが刈取部への刈取伝動機構の伝動ベルトが弛緩されたときにその伝動ベルトの過度な浮き上がりを規制して刈取入力プーリからの外れを阻止し、ベルト押さえはアシスト部材と同体状に脱着されるようになる。
【図面の簡単な説明】
【図１】  本発明に係るコンバインの左側面図である。
【図２】  上記コンバインの平面図である。
【図３】  上記コンバインの正面図である。
【図４】  上記コンバインの運転操作部の平面図である。
【図５】  上記コンバインの刈取部と脱穀部との間を示す側面図である。
【図６】  上記コンバインのサイドコラム周辺を示す平面図である。
【図７】  上記コンバインのサイドコラム周辺を示す正面図である。
【図８】  上記コンバインのサイドコラムの上面板やサイドコラム側面被覆ゴム質板            等を示す図である。
【図９】  上記コンバインの刈取部と脱穀部との間を斜め上方から見た図である。
【図１０】上記コンバインの伝動ベルトやベルト押さえ等を示す図である。
【図１１】上記コンバインの後向き搬送装置の関連部材やこれに装着される稈受け用            ゴム質板を示す図である。
【図１２】上記コンバインのアシスト部材及びその付着部材を示す側面図である。
【図１３】上記コンバインのアシスト部材及びその付着部材を示す正面図である。
【符号の説明】
１  走行部
２  機台
３  刈取部
４  運転操作部
５  脱穀部
５ｂ  扱室入り口
１３  後向き搬送部
２１  サイドコラム
２４  丸形回転操向ハンドル
２９  刈取部支持部材
２６  サイドコラム骨組み構造体
７２  アシスト部材
７７  ゴム質板支持部材
７８  ベルト押さえ
【図１】
0004105362.tif 000002
【図２】
0004105362.tif 000003
【図３】
0004105362.tif 000004
【図４】
0004105362.tif 000005
【図５】
0004105362.tif 000006
【図６】
0004105362.tif 000007
【図７】
0004105362.tif 000008
【図８】
0004105362.tif 000009
【図９】
0004105362.tif 000010
【図１０】
0004105362.tif 000011
【図１１】
0004105362.tif 000012
【図１２】
0004105362.tif 000013
【図１３】
0004105362.tif 000014